(57)【要約】【課題】タンク本体に対するポンプユニットの組付け性を向上することのできる燃料タンクを提供する。【解決手段】燃料タンク１０は、タンクホール２２を有するタンク本体１２と、タンク本体１２の底部に設けられたサブタンク１４と、タンクホール２２からの挿入によりサブタンク１４に組付けられるポンプユニット１６とを備える。ポンプユニット１６をタンク本体１２のタンクホール２２側から底部側の組付け位置までガイドするガイド手段を備える。ガイド手段は、タンク本体１２に設けられるガイドレール５５と、ポンプユニット１６に設けられかつガイドレール５５に摺動可能に係合されるガイドピン５１，５３とにより構成される。【選択図】図１
2017008761.tif 000002
【特許請求の範囲】
【請求項１】
開口部を有するタンク本体と、
燃料ポンプ、及び、燃料ポンプを保持するポンプ保持部材を有し、かつ、前記開口部から前記タンク本体の底部側に配置されるポンプユニットと、
を備える燃料タンクであって、
前記ポンプユニットを前記タンク本体の開口部側から底部側の組付け位置までガイドするガイド手段を備え、
前記ガイド手段は、前記タンク本体側に設けられるガイドレールと、前記ポンプユニット側に設けられかつ前記ガイドレールに摺動可能に係合される摺動子とにより構成されている燃料タンク。
【請求項２】
請求項１に記載の燃料タンクであって、
前記ガイド手段は、前記ポンプユニットの両側に配置されている燃料タンク。
【請求項３】
請求項１又は２に記載の燃料タンクであって、
前記タンク本体の底部には、前記燃料ポンプに吸入される燃料を貯留するサブタンクが設けられ、
前記ガイドレールは、前記サブタンクの水平状態での燃料を貯留可能な高さ位置よりも上方へ延出されている燃料タンク。
【請求項４】
請求項１又は２に記載の燃料タンクであって、
前記タンク本体内に挿入された前記ポンプユニットの長手方向の一端部を回動可能に支持する回動支持手段を備え、
前記回動支持手段は、前記タンク本体側に設けられたタンク本体側支持部と、前記ポンプユニット側に設けられかつ前記タンク本体側支持部に係合されるポンプユニット側支持部とにより構成され、
前記ガイドレールには、前記タンク本体の開口部側から底部側に延在する第１ガイド部が設けられている燃料タンク。
【請求項５】
請求項４に記載の燃料タンクであって、
前記第１ガイド部の底部側端部に連続され、前記回動支持手段を回動支点として前記ポンプユニットを下方へ回動させる際に前記摺動子をガイドする第２ガイド部が設けられている燃料タンク。
【請求項６】
請求項５に記載の燃料タンクであって、
前記ガイドレールの第２ガイド部の曲率半径は、下方に向かって次第に小さくなるように設定され、
前記摺動子側の部材は、前記摺動子が前記第２ガイド部を下方に摺動した際に弾性変形可能に形成され、
前記第２ガイド部には、前記ポンプユニットを前記タンク本体の底部側の組付け位置に回動したときに、前記摺動子側の部材の弾性復元により前記摺動子を係合するロック部が設けられている燃料タンク。
【請求項７】
請求項４又は５に記載の燃料タンクであって、
前記タンク本体と前記ポンプユニットとの間には、前記回動支持手段を回動支点として前記ポンプユニットを前記タンク本体の底部側の組付け位置に回動したときに、相互に係合するロック手段が設けられ、
前記ロック手段は、前記タンク本体側に設けられたタンク本体側ロック部と、前記ポンプユニット側に設けられかつ前記タンク本体側ロック部に係合されるポンプユニット側ロック部とを備え、
前記タンク本体側ロック部と前記ポンプユニット側ロック部とは、少なくとも一方の弾性変形を利用して係合可能に構成されている燃料タンク。
【請求項８】
請求項４〜７のいずれか１つに記載の燃料タンクであって、
前記ポンプユニットの長手方向の一端部に、先行側摺動子が設けられ、
前記ガイドレールには、前記第１ガイド部の底部側端部に連続され、前記先行側摺動子を前記タンク本体の底部に沿って所定位置までガイドする第３ガイド部が設けられている燃料タンク。
【請求項９】
請求項８に記載の燃料タンクであって、
前記先行側摺動子は、前記回動支持手段のポンプユニット側支持部を兼用するように構成されている燃料タンク。
【請求項１０】
請求項４〜７のいずれか１つに記載の燃料タンクであって、
前記タンク本体の底部側には、前記ポンプユニットの長手方向の一端部を前記タンク本体の底部に沿ってガイドする第３ガイド部材が設けられている燃料タンク。
【請求項１１】
請求項１０に記載の燃料タンクであって、
前記ポンプユニットの長手方向の一端部には、ストッパ部材が設けられ、
前記タンク本体には、前記ポンプユニットの長手方向の一端部が当接する当接部材、及び、前記ストッパ部材を係合する係合部材が設けられ、
前記回動支持手段は、前記当接部材及び前記係合部材をタンク本体側支持部とし、前記ストッパ部材をポンプユニット側支持部として構成されている燃料タンク。
【請求項１２】
請求項１０に記載の燃料タンクであって、
前記ポンプユニットの長手方向の一端部には、ポンプユニット側係止部が設けられ、
前記タンク本体には、前記ポンプユニット側係止部を係合するタンク本体側係止部が設けられ、
前記回動支持手段は、前記タンク本体側係止部をタンク本体側支持部とし、前記ポンプユニット側係止部をポンプユニット側支持部として構成されている燃料タンク。
【発明の詳細な説明】
【技術分野】
【０００１】
本発明は、内燃機関用の燃料を貯留するタンク本体と、タンク本体内の燃料を内燃機関に圧送する燃料ポンプを有するポンプユニットとを備える燃料タンクに関する。
【背景技術】
【０００２】
従来の燃料タンクには、例えば特許文献１に記載されたものがある。特許文献１の燃料タンクは、タンク本体とブラケットとポンプユニットとを備えている。タンク本体は、上面部に開口部を有している。ブラケットは、タンク本体の底部に設けられている。ポンプユニットは、ブラケットに軸方向を横向きとする横置き状態で配置される燃料ポンプ、及び、燃料ポンプを保持するポンプ保持部材を有している。ポンプユニットは、タンク本体の開口部からの挿入によりブラケットに組付けられている。
【先行技術文献】
【特許文献】
【０００３】
【特許文献１】特開２００３−１７２２１７号公報
【発明の概要】
【発明が解決しようとする課題】
【０００４】
特許文献１によると、ポンプユニットをサブタンクに組付ける作業は、一般的に作業者の手作業で行われる。しかし、タンク本体の開口部の開口面積は比較的小さい。また、タンク本体の内部が暗くて見にくい。また、タンク本体の開口部からブラケットまでが遠い。したがって、ポンプユニットをタンク本体の開口部から挿入してブラケットに組付ける際に、ブラケットの位置がわかり難いため、作業時間が長くかかったり、ポンプユニットの組付け不良を招いたりする場合がある。このため、タンク本体に対するポンプユニットの組付け性が悪いという問題があった。本発明が解決しようとする課題は、タンク本体に対するポンプユニットの組付け性を向上することのできる燃料タンクを提供することにある。
【課題を解決するための手段】
【０００５】
第１の発明は、開口部を有するタンク本体と、燃料ポンプ、及び、燃料ポンプを保持するポンプ保持部材を有し、かつ、前記開口部から前記タンク本体の底部側に配置されるポンプユニットと、を備える燃料タンクであって、前記ポンプユニットを前記タンク本体の開口部側から底部側の組付け位置までガイドするガイド手段を備え、前記ガイド手段は、前記タンク本体側に設けられるガイドレールと、前記ポンプユニット側に設けられかつ前記ガイドレールに摺動可能に係合される摺動子とにより構成されている。この構成によると、タンク本体内にポンプユニットを組付ける際に、ガイド手段のガイドレールによって摺動子がガイドされることによって、ポンプユニットがタンク本体の開口部側から底部側の組付け位置までガイドされる。したがって、ポンプユニットを迷わずに容易に組付け位置へ適正に移動させることができる。このため、作業時間を短縮するとともに、ポンプユニットの組付け不良を抑制することができる。よって、タンク本体に対するポンプユニットの組付け性を向上することができる。
【０００６】
第２の発明は、第１の発明において、前記ガイド手段は、前記ポンプユニットの両側に配置されている。この構成によると、ポンプユニットが両ガイド手段によってガイドされるため、タンク本体に対するポンプユニットの組付け性を向上することができる。
【０００７】
第３の発明は、第１又は２の発明において、前記タンク本体の底部には、前記燃料ポンプに吸入される燃料を貯留するサブタンクが設けられ、前記ガイドレールは、前記サブタンクの水平状態での燃料を貯留可能な高さ位置よりも上方へ延出されている。この構成によると、サブタンクの水平状態での燃料を貯留可能な高さ位置よりも高い位置からガイドレールによって摺動子をガイドすることができる。
【０００８】
第４の発明は、第１又は２の発明において、前記タンク本体内に挿入された前記ポンプユニットの長手方向の一端部を回動可能に支持する回動支持手段を備え、前記回動支持手段は、前記タンク本体側に設けられたタンク本体側支持部と、前記ポンプユニット側に設けられかつ前記タンク本体側支持部に係合されるポンプユニット側支持部とにより構成され、前記ガイドレールには、前記タンク本体の開口部側から底部側に延在する第１ガイド部が設けられている。この構成によると、ガイドレールの第１ガイド部により、ポンプユニットの摺動子をタンク本体の開口部側から底部側にガイドすることができる。また、回動支持手段のタンク本体側支持部とポンプユニット側支持部との係合により、ポンプユニットの長手方向の一端部を回動可能に支持することができる。よって、回動支持手段を回動支点として、ポンプユニットをタンク本体の底部側の組付け位置に容易に回動させることができる。
【０００９】
第５の発明は、第４の発明において、前記第１ガイド部の底部側端部に連続され、前記回動支持手段を回動支点として前記ポンプユニットを下方へ回動させる際に前記摺動子をガイドする第２ガイド部が設けられている。この構成によると、回動支持手段を回動支点としてポンプユニットを回動させることにより、摺動子がガイドレールの第２ガイド部によりガイドされる。このため、ポンプユニットをタンク本体の底部側の組付け位置に容易に移動させることができる。
【００１０】
第６の発明は、第５の発明において、前記ガイドレールの第２ガイド部の曲率半径は、下方に向かって次第に小さくなるように設定され、前記摺動子側の部材は、前記摺動子が前記第２ガイド部を下方に摺動した際に弾性変形可能に形成され、前記第２ガイド部には、前記ポンプユニットを前記タンク本体の底部側の組付け位置に回動したときに、前記摺動子側の部材の弾性復元により前記摺動子を係合するロック部が設けられている。この構成によると、摺動子がガイドレールの第２ガイド部を摺動した際に、摺動子側の部材が弾性変形する。そして、ポンプユニットをタンク本体の底部側の組付け位置に回動したときには、摺動子側の部材の弾性復元により、第２ガイド部のロック部に摺動子が係合することによって、タンク本体にポンプユニットがロックされる。すなわち、第２ガイド部のロック部と摺動子とにより、タンク本体にポンプユニットをロックするロック手段が構成されている。また、摺動子側の部材の弾性を利用して、第２ガイド部のロック部に対する摺動子の係合を解除することによって、ポンプユニットを挿入時とは逆順で取外すことができる。よって、ポンプユニットをタンク本体に着脱可能に組付けることができる。また、第２ガイド部のロック部と摺動子とによりロック手段が構成されるため、ロック手段に特別な部材を設けなくて済む。
【００１１】
第７の発明は、第４又は５の発明において、前記タンク本体と前記ポンプユニットとの間には、前記回動支持手段を回動支点として前記ポンプユニットを前記タンク本体の底部側の組付け位置に回動したときに、相互に係合するロック手段が設けられ、前記ロック手段は、前記タンク本体側に設けられたタンク本体側ロック部と、前記ポンプユニット側に設けられかつ前記タンク本体側ロック部に係合されるポンプユニット側ロック部とを備え、前記タンク本体側ロック部と前記ポンプユニット側ロック部とは、少なくとも一方の弾性変形を利用して係合可能に構成されている。この構成によると、ポンプユニットをタンク本体の底部側の組付け位置に回動したときには、ロック手段のタンク本体側ロック部にポンプユニット側ロック部が少なくとも一方の弾性変形を利用して係合することによって、タンク本体にポンプユニットがロックされる。また、タンク本体側ロック部に対するポンプユニット側ロック部の係合を少なくとも一方の弾性変形を利用して解除することによって、ポンプユニットを挿入時とは逆順で取外すことができる。よって、ポンプユニットをタンク本体に着脱可能に組付けることができる。
【００１２】
第８の発明は、第４〜７のいずれかの発明において、前記ポンプユニットの長手方向の一端部に、先行側摺動子が設けられ、前記ガイドレールには、前記第１ガイド部の底部側端部に連続され、前記先行側摺動子を前記タンク本体の底部に沿って所定位置までガイドする第３ガイド部が設けられている。この構成によると、先行側摺動子を、ガイドレールの第１ガイド部及び第３ガイド部によって、回動支持手段に向けてガイドすることができる。
【００１３】
第９の発明は、第８の発明において、前記先行側摺動子は、前記回動支持手段のポンプユニット側支持部を兼用するように構成されている。この構成によると、回動支持手段のポンプユニット側支持部として、特別な部材を設けなくて済む。
【００１４】
第１０の発明は、第４〜７のいずれかの発明において、前記タンク本体の底部側には、前記ポンプユニットの長手方向の一端部を前記タンク本体の底部に沿ってガイドする第３ガイド部材が設けられている。この構成によると、タンク本体の底部側に設けた第３ガイド部材によって、ポンプユニットの長手方向の一端部を回動支持手段に向けてガイドすることができる。
【００１５】
第１１の発明は、第１０の発明において、前記ポンプユニットの長手方向の一端部には、ストッパ部材が設けられ、前記タンク本体には、前記ポンプユニットの長手方向の一端部が当接する当接部材、及び、前記ストッパ部材を係合する係合部材が設けられ、前記回動支持手段は、前記当接部材及び前記係合部材をタンク本体側支持部とし、前記ストッパ部材をポンプユニット側支持部として構成されている。この構成によると、回動支持手段の当接部材及び係合部材（タンク本体側支持部）とストッパ部材（ポンプユニット側支持部）との係合により、ポンプユニットの長手方向の一端部を回動可能に支持することができる。
【００１６】
第１２の発明は、第１０の発明において、前記ポンプユニットの長手方向の一端部には、ポンプユニット側係止部が設けられ、前記タンク本体には、前記ポンプユニット側係止部を係合するタンク本体側係止部が設けられ、前記回動支持手段は、前記タンク本体側係止部をタンク本体側支持部とし、前記ポンプユニット側係止部をポンプユニット側支持部として構成されている。この構成によると、回動支持手段のタンク本体側係止部（タンク本体側支持部）とポンプユニット側係止部（ポンプユニット側支持部）との係合により、ポンプユニットの長手方向の一端部を回動可能に支持することができる。
【図面の簡単な説明】
【００１７】
【図１】実施形態１にかかる燃料タンクを示す側断面図である。
【図２】サブタンクに対するポンプユニットの組付け状態を一部破断して示す側面図である。
【図３】サブタンクに対するポンプユニットの組付け状態を示す平面図である。
【図４】図３のIV−IV線矢視断面図である。
【図５】サブタンクを示す平面図である。
【図６】図５のVI−VI線矢視断面図である。
【図７】タンク本体に対するポンプユニットの組付け過程１を示す側断面図である。
【図８】図７のVIII−VIII線矢視断面図である。
【図９】タンク本体に対するポンプユニットの組付け過程２を示す側断面図である。
【図１０】実施形態２にかかるサブタンクを示す平面図である。
【図１１】実施形態３にかかるサブタンクに対するポンプユニットの組付け状態を一部破断して示す側面図である。
【図１２】サブタンクを示す平面図である。
【図１３】図１２のXIII−XIII線矢視断面図である。
【図１４】タンク本体に対するポンプユニットの組付け過程１を示す側断面図である。
【図１５】タンク本体に対するポンプユニットの組付け過程２を示す側断面図である。
【図１６】実施形態４にかかるサブタンクを示す平面図である。
【図１７】実施形態５にかかるサブタンクに対するポンプユニットの組付け状態を示す平面図である。
【図１８】図１７のXVIII−XVIII線矢視断面図である。
【図１９】タンク本体に対するポンプユニットの組付け過程を示す側断面図である。
【図２０】実施形態６にかかるサブタンクに対するポンプユニットの組付け状態を示す側断面図である。
【図２１】実施形態７にかかる燃料タンクの要部を示す側断面図である。
【図２２】タンク本体に対するポンプユニットの組付け過程を示す側断面図である。
【図２３】実施形態８にかかる燃料タンクの要部を示す側断面図である。
【図２４】実施形態９にかかる燃料タンクの要部を示す側断面図である。
【図２５】実施形態１０にかかる燃料タンクの要部を示す側断面図である。
【図２６】実施形態１１にかかる燃料タンクの要部を示す側断面図である。
【図２７】サブタンクに対するポンプユニットの組付け状態を示す平面図である。
【図２８】図２７のXXVIII−XXVIII線矢視断面図である。
【図２９】図２７のXXIX−XXIX線矢視断面図である。
【図３０】実施形態１２にかかる燃料タンクの要部を示す側断面図である。
【図３１】サブタンクに対するポンプユニットの組付け状態を示す平面図である。
【図３２】図３１のXXXII−XXXII線矢視断面図である。
【図３３】図３１のXXXIII−XXXIII線矢視断面図である。
【図３４】実施形態１３にかかる燃料タンクの要部を示す正面図である。
【図３５】燃料タンクの要部を示す斜視図である。
【発明を実施するための形態】
【００１８】
以下、本発明を実施するための形態について図面を用いて説明する。
【００１９】
［実施形態１］実施形態１にかかる燃料タンクは、自動車等の車両に搭載される内燃機関用の燃料を貯留する燃料タンクである。各図において、上下方向は、車両に搭載された状態での燃料タンクの重力方向いわゆる天地方向に対応する。また、説明の都合上、燃料タンクの前後方向及び左右方向については、図に矢印で示すように定めるが、燃料タンク及び燃料ポンプの配置方向を特定するものではない。図１は燃料タンクを示す側断面図である。図１に示すように、燃料タンク１０は、タンク本体１２とサブタンク１４とポンプユニット１６とフランジユニット１８とを備えている。
【００２０】
タンク本体１２を説明する。タンク本体１２は、上面部２０及び底面部２１を有する中空容器状に形成されている。上面部２０には、円形孔からなるタンクホール２２が形成されている。底面部２１は、車両に対する燃料タンク１０の搭載状態において水平状態に配置される。タンク本体１２は、樹脂製でもよいし、金属製でもよい。なお、タンクホール２２は本明細書でいう「開口部」に相当する。また、図２はサブタンクに対するポンプユニットの組付け状態を一部破断して示す側面図、図３は同じく平面図、図４は図３のIV−IV線矢視断面図である。
【００２１】
次に、サブタンク１４を説明する。図５はサブタンクを示す平面図、図６は図５のVI−VI線矢視断面図である。図５に示すように、サブタンク１４は、平面視で前後方向を長くする長四角形状の容器状に形成されている。サブタンク１４は、底板部２４、左側板部２５、右側板部２６、前側板部２７及び後側板部２８を有している。底板部２４は、水平方向に延在する平板状に形成されている。サブタンク１４の上面は開放されている（図６参照）。図１に示すように、サブタンク１４は、タンク本体１２の底部すなわち底面部２１上に固定状態に設置されている。底板部２４は、底面部２１と面接触状に配置されている。サブタンク１４は、タンクホール２２の下方又は下方付近に配置されている。サブタンク１４は、燃料ポンプ３２（後述する）に吸入される燃料を貯留する。サブタンク１４は、樹脂製でもよいし、金属製でもよい。
【００２２】
図６に示すように、サブタンク１４の前端部における高さは、残りの部分における高さよりも高く設定されている。これにより、タンク本体１２が前下がり状に傾いたときのサブタンク１４の燃料貯留量が増大されている。また、サブタンク１４の前端部を除いた残りの部分における左側板部２５、右側板部２６及び後側板部２８の上端面は、同一高さで形成されている。このため、サブタンク１４の水平状態での燃料を貯留可能な高さ位置Ｌは、サブタンク１４の前端部を除いた残りの部分における左側板部２５、右側板部２６及び後側板部２８の上端面の高さ位置となる。
【００２３】
次に、ポンプユニット１６を説明する。図４に示すように、ポンプユニット１６は、マウント３０及び燃料ポンプ３２等を備えている。マウント３０は、例えば樹脂製で、左右一対の支持側板３４及び１枚の台板３６を有している（図３参照）。両支持側板３４は、左右方向に延在する帯板状に形成され、その板厚方向を左右方向に向けた状態で平行状に配置されている。台板３６は、四角形板状に形成され、両支持側板３４の上端面の中央部の相互間に水平状に架設されている。
【００２４】
マウント３０は、水平又は略水平状態でサブタンク１４内に収容されている。左側の支持側板３４は左側板部２５に対面され、右側の支持側板３４は右側板部２６に対面されている。両支持側板３４の前端部は、前側板部２７に近接又は当接されている。両支持側板３４の前端下部には、Ｒ形状の円弧状面３４ａが形成されている。両支持側板３４の後端下部には、傾斜状面３４ｂが形成されている。なお、マウント３０は本明細書でいう「ポンプ保持部材」に相当する。
【００２５】
燃料ポンプ３２は、サブタンク１４内の燃料を吸入しかつ吐出する電動式の燃料ポンプである。燃料ポンプ３２の外形は、略円柱形状に形成されている。燃料ポンプ３２は、マウント３０の台板３６上に軸方向を水平方向すなわち前後方向とする横置き状態で配置されている。なお、燃料ポンプ３２の軸方向の一端部に設けられた燃料吸入口（不図示）は前方に指向され、その他端部に設けられた燃料吐出口（不図示）は後方へ指向されている。また、燃料ポンプ３２の横置き状態とはタンク本体１２のタンクホール２２に対して略平行をなす状態をいう。
【００２６】
燃料ポンプ３２（詳しくは燃料吸入口）には、燃料吸入用の燃料フィルタ３８が接続されている。燃料フィルタ３８は、フィルタ部材３９と接続管４０とを備えている。フィルタ部材３９は、燃料ポンプ３２に吸入される燃料すなわちサブタンク１４内の燃料を濾過する。フィルタ部材３９は、樹脂製の不織布等によって袋状に形成されている。フィルタ部材３９の外形は、平面視（図３参照）で前後方向を長くする長四角形状で、上下方向に偏平に形成されている。また、フィルタ部材３９の内部空間には、フィルタ部材３９の袋形状を保持する樹脂製の内部保持部材（不図示）が配置されている。
【００２７】
接続管４０は、フィルタ部材３９の前端部上に配置されている。接続管４０は、樹脂製で、エルボ状に形成されている。接続管４０の一端部は、内部保持部材（不図示）に接続されかつフィルタ部材３９の内部空間に連通されている。接続管４０の他端部は、燃料ポンプ３２（詳しくは燃料吸入口）に接続されている。接続管４０により、フィルタ部材３９の内部空間と燃料ポンプ３２の燃料吸入口とが連通されている。フィルタ部材３９は、マウント３０の両支持側板３４と台板３６とにより取り囲まれる空間内に水平状に収まるように配置されている。
【００２８】
燃料ポンプ３２（詳しくは燃料吐出口）には、プレッシャレギュレータ４２が接続されている。プレッシャレギュレータ４２は、燃料ポンプ３２から吐出された燃料の圧力を調整し、その調整した燃料を吐出口（不図示）から吐出し、また、余剰となった余剰燃料を排出口（不図示）からタンク本体１２内に排出する。
【００２９】
ポンプユニット１６は、前後方向を長手方向としてサブタンク１４に組付けられることにより、タンク本体１２内の底部に水平状態で配置されている（図１参照）。この状態では、サブタンク１４の底板部２４上にマウント３０の両支持側板３４の下端面が接触されている（図２参照）。底板部２４と燃料フィルタ３８のフィルタ部材３９との間には、所定の隙間が確保されている（図４参照）。ポンプユニット１６の長手方向の全長すなわち両支持側板３４の全長は、タンク本体１２のタンクホール２２の口径よりも大きく設定されている。ポンプユニット１６は、長手方向に沿ってタンクホール２２を通過可能に形成されている。なお、タンクホール２２を通過するポンプユニット１６の姿勢は、タンクホール２２に対してポンプユニット１６の長手方向を垂直方向又は略垂直方向に向けた姿勢に相当するため、垂直姿勢又は略垂直姿勢という（図７及び図８参照）。また、本明細書でいう「略垂直姿勢」には、ポンプユニット１６がタンクホール２２に対して傾斜する傾斜姿勢（例えば、傾斜角４５°以下）も含まれる。また、サブタンク１４に対するポンプユニット１６の組付け位置は、ポンプユニット１６の長手方向を水平方向又は略水平方向に向けた姿勢に相当する（図２〜図４参照）。また、本実施形態では、ポンプユニット１６の長手方向は、燃料ポンプ３２の軸方向に相当する。また、ポンプユニット１６の長手方向に対して燃料ポンプ３２の軸方向が上下方向及び／又は水平方向に傾斜していてもよい。なお、サブタンク１４に対するポンプユニット１６の組付け構造については後で説明する。
【００３０】
次に、フランジユニット１８を説明する。図１に示すように、フランジユニット１８は、タンク本体１２のタンクホール２２に装着されている。フランジユニット１８は、例えば樹脂製で、タンクホール２２を閉鎖する円板状のフランジ本体４４を備えている。フランジ本体４４には、燃料吐出管４５及び電気コネクタ４６等が設けられている。フランジ本体４４の下面側において、燃料吐出管４５とプレッシャレギュレータ４２（詳しくは吐出口）とは、可撓性を有する蛇腹状のホース等からなる配管部材４８を介して接続されている。また、フランジ本体４４の下面側において、フランジ本体４４の電気コネクタ４６と燃料ポンプ３２（詳しくは電気コネクタ（不図示））とは、可撓性を有する配線部材４９を介して接続されている。また、図示しないが、フランジ本体４４の上面側において、燃料吐出管４５には、内燃機関いわゆるエンジンにつながる燃料供給配管が接続される。また、電気コネクタ４６には、外部コネクタが接続される。
【００３１】
次に、ポンプユニット１６の作動を説明する。外部からの駆動電力により燃料ポンプ３２が駆動されると、サブタンク１４内の燃料が、燃料フィルタ３８を介して燃料ポンプ３２に吸入される。その燃料は、燃料ポンプ３２により昇圧された後、プレッシャレギュレータ４２により燃料圧力が調整されてから配管部材４８へ吐出される。その燃料は、フランジユニット１８の燃料吐出管４５からエンジンへと供給される。なお、ポンプユニット１６とフランジユニット１８とにより、タンク本体１２内に貯留された燃料をエンジンに供給する燃料供給装置が構成されている。
【００３２】
次に、サブタンク１４に対するポンプユニット１６の組付け構造について説明する。図２及び図３に示すように、マウント３０の両支持側板３４の前端部には、それぞれ外側方へ向けて突出する丸軸形状の前側のガイドピン５１が左右対称的に設けられている。両支持側板３４の後端部には、それぞれ外側方へ向けて突出する丸軸形状の後側のガイドピン５３が左右対称的に設けられている。なお、前側のガイドピン５１は本明細書でいう「摺動子」、「先行側摺動子」に相当する。また、後側のガイドピン５３は本明細書でいう「摺動子」、「後行側摺動子」に相当する。なお、ガイドピン５１，５３は、丸軸形状に限らず、四角軸状、帯板状等でもよい。
【００３３】
図５に示すように、サブタンク１４の左側板部２５及び右側板部２６の対向側面すなわち内側面には、左右一対のガイドレール５５が左右対称的に設けられている。両ガイドレール５５は、ガイド溝５６を有する断面チャンネル状に形成されている。ガイド溝５６は、マウント３０の両ガイドピン５１，５３（図２参照）を係合可能かつ摺動可能に形成されている。
【００３４】
図６に示すように、ガイドレール５５は、１つの溝底壁５７と、相互に平行状をなす一対の溝側壁５８とを有している。両ガイドレール５５は、左側板部２５及び右側板部２６の一部を溝底壁５７として兼用している。なお、溝底壁５７を有するガイドレール５５を左側板部２５及び右側板部２６に付設してもよい。
【００３５】
ガイドレール５５は、第１ガイド部６０と第３ガイド部６２と第２ガイド部６４を有している。第１ガイド部６０は、タンク本体１２のタンクホール２２側から底部側に延在している。すなわち、第１ガイド部６０は、垂直方向又は略垂直方向に延在している。第１ガイド部６０は、サブタンク１４の水平状態での燃料を貯留可能な高さ位置Ｌよりも上方へ延出されている。これにともない、サブタンク１４の左側板部２５及び右側板部２６には、上方へ突出する突出部２５ａ，２６ａ（図５参照）が形成されている。また、第１ガイド部６０のガイド溝５６の上端部には、上方に開口する導入口６１が形成されている。導入口６１における一対の溝側壁５８は、相互間の間隔を上方に向かって次第に広くするテーパー状に形成されている。導入口６１は、タンク本体１２のタンクホール２２の近傍に配置されており、作業者が容易に視認することができる（図１参照）。
【００３６】
図６に示すように、第３ガイド部６２は、第１ガイド部６０の底部側端部すなわち下端部に連続されかつ前方へ延出されている。第３ガイド部６２の後端部は、前方斜め下方に傾斜する傾斜部６３となっている。第３ガイド部６２のガイド溝５６の前端面は、前端壁６２ａによって閉鎖されている。また、サブタンク１４に対するポンプユニット１６の組付けに際して、第３ガイド部６２の前端壁６２ａにマウント３０の前側のガイドピン５１が当接したときには、後側のガイドピン５３が第１ガイド部６０の下端部付近すなわち第２ガイド部６４の接続部付近に位置される（図９参照）。
【００３７】
第２ガイド部６４は、第１ガイド部６０の下端部に連続されかつ下方へ円弧状に延出されている。第２ガイド部６４のガイド溝５６の下端部は、下端壁６４ａによって閉鎖されている。また、第２ガイド部６４は、第３ガイド部６２の前端壁６２ａに当接した状態での前側のガイドピン５１を中心とするマウント３０の上下方向の回動にともなう後側のガイドピン５３の回動軌跡に略倣う曲率半径で形成されている。
【００３８】
ところで、本実施形態において、第２ガイド部６４（図６参照）の曲率半径は、下方に向かって次第に小さくなるように設定されている。第２ガイド部６４の後側の溝側壁５８の下端部には、後方へ円弧状に凹むロック溝部６５が形成されている。また、マウント３０（図２参照）は、前後方向の中央部が盛り上がる上反り状態に弾性変形いわゆる撓み変形可能に形成されている。なお、マウント３０は、前後方向の中央部が凹む下反り状態に弾性変形いわゆる撓み変形可能に形成されてもよい。
【００３９】
このため、ポンプユニット１６を傾斜姿勢（図９参照）からサブタンク１４に対する組付け位置（図２参照）へ回動させたときには、後側のガイドピン５３が第２ガイド部６４を摺動しつつ前方へ押しやられる。これによって、マウント３０が上反り状態に弾性変形させられる。そして、ポンプユニット１６がサブタンク１４に対する組付け位置（図２参照）になると、後側のガイドピン５３が第２ガイド部６４の下端壁６４ａに当接し、後側のガイドピン５３がマウント３０の弾性復元力によってロック溝部６５に係合いわゆるスナップフィット係合される。これにより、タンク本体１２にポンプユニット１６がロックされる。すなわち、第２ガイド部６４のロック溝部６５と後側のガイドピン５３とにより、ロック手段６７が構成されている。なお、サブタンク１４に対する組付け位置は本明細書でいう「タンク本体の底部側の組付け位置」に相当する。
【００４０】
また、マウント３０は本明細書でいう「摺動子側の部材」に相当する。また、ロック溝部６５は本明細書でいう「ロック部」、「タンク本体側ロック部」に相当する。また、両ガイドピン５１，５３とガイドレール５５とにより、ガイド手段が構成されている。ガイド手段は、ポンプユニット１６の左右両側に対称的に配置されている（図３参照）。また、第３ガイド部６２の前端部に相当する前端壁６２ａを本明細書でいう「タンク本体側支持部」とし、前側のガイドピン５１を本明細書でいう「ポンプユニット側支持部」として、相互に回動可能にかつ係脱可能に係合する回動支持手段７２が構成されている（図２参照）。
【００４１】
次に、タンク本体１２に対するポンプユニット１６の組付け方法について説明する。ポンプユニット１６の組付けは、作業者の手作業で行われる。タンク本体１２の上方からタンクホール２２（図１参照）内にポンプユニット１６を長手方向に沿って挿入する。このとき、ポンプユニット１６は、前端部を下向きとする垂直姿勢又は略垂直姿勢とされる。なお、垂直姿勢又は略垂直姿勢には、ポンプユニット１６の前端部を下方斜め前方に傾斜する傾斜姿勢も含まれる。
【００４２】
そして、ポンプユニット１６の前側のガイドピン５１を、サブタンク１４のガイドレール５５の導入口６１から第１ガイド部６０に係合させ、そのガイド部６０に沿って下方へ摺動させていく。続いて、前側のガイドピン５１を、第１ガイド部６０の下端部から第３ガイド部６２に摺動させる。また、後側のガイドピン５３を、ガイドレール５５の導入口６１から第１ガイド部６０に係合させる。この状態が図７及び図８に示されている。なお、図７はタンク本体に対するポンプユニットの組付け過程１を示す側断面図、図８は図７のVIII−VIII線矢視断面図である。
【００４３】
この状態から、前側のガイドピン５１を、第３ガイド部６２に沿って前方へ移動させつつ、後側のガイドピン５３を第１ガイド部６０に沿って下方へ摺動させていく。すると、前側のガイドピン５１が第３ガイド部６２の前端壁６２ａに当接すなわち係合する。これにより、ポンプユニット１６が後端部を斜め上方に傾斜する傾斜姿勢とされる。この状態が図９に示されている。図９はタンク本体に対するポンプユニットの組付け過程２を示す側断面図である。
【００４４】
続いて、第３ガイド部６２の前端壁６２ａと前側のガイドピン５１との係合による回動支持手段７２（図９参照）を回動支点として、ポンプユニット１６を下方へ回動させる。すなわち、ポンプユニット１６の後端部を押し下げていく。すると、後側のガイドピン５３が第２ガイド部６４を摺動しつつ前方へ押しやられることによって、マウント３０が弾性変形させられる。そして、ポンプユニット１６がサブタンク１４に対する組付け位置（図２参照）になると、後側のガイドピン５３が第２ガイド部６４の下端壁６４ａに当接し、後側のガイドピン５３がマウント３０の弾性復元力によってロック溝部６５に係合される。これにより、タンク本体１２にポンプユニット１６がロックされる。この状態では、マウント３０の両支持側板３４の下端面がサブタンク１４の底板部２４上に当接する。その後、フランジユニット１８をタンク本体１２のタンクホール２２に装着することによって、ポンプユニット１６の組付け作業が完了する（図１参照）。
【００４５】
また、燃料フィルタ３８の目詰まり、燃料ポンプ３２の故障等を生じた場合のポンプユニット１６の交換等に際して、ポンプユニット１６を取外したい場合がある。そのような場合には、タンク本体１２のタンクホール２２からフランジユニット１８を取外した後、回動支持手段７２（図２参照）を回動支点として、ポンプユニット１６を上方へ回動させる。すなわち、ポンプユニット１６の後端部を引き上げる。これにより、ガイドレール５５のロック溝部６５に対する後側のガイドピン５３の係合が解除される。以降、挿入時とは逆順で、ポンプユニット１６を取外せばよい。
【００４６】
前記した燃料タンク１０によると、タンク本体１２内にポンプユニット１６を組付ける際に、ガイド手段のガイドレール５５によって両ガイドピン５１，５３がガイドされる。これによって、ポンプユニット１６がタンク本体１２のタンクホール２２側から底部側の組付け位置までガイドされる。したがって、ポンプユニット１６を迷わずに容易に組付け位置へ適正に移動させることができる。このため、作業時間を短縮するとともに、ポンプユニット１６の組付け不良を抑制することができる。よって、タンク本体１２に対するポンプユニット１６の組付け性を向上することができる。
【００４７】
また、ガイド手段は、ポンプユニット１６の両側に配置されている（図３及び図８参照）。したがって、ポンプユニット１６が両ガイド手段によってガイドされるため、タンク本体１２に対するポンプユニット１６の組付け性を向上することができる。
【００４８】
また、ガイドレール５５は、タンク本体１２の底部に設けられたサブタンク１４の水平状態での燃料を貯留可能な高さ位置Ｌよりも上方へ延出されている（図６参照）。したがって、位置Ｌよりも高い位置からガイドレール５５によって両ガイドピン５１，５３をガイドすることができる。また、作業者は、タンク本体１２のタンクホール２２近傍のガイドレール５５の導入口６１を目視で確認しながら、その導入口６１にポンプユニット１６の両ガイドピン５１，５３を容易に係合させることができる。よって、ポンプユニット１６の組付けにかかる信頼性を向上することができる。また、ポンプユニット１６の組付け時のタンクホール２２に対するポンプユニット１６の干渉を抑制することができる。このため、タンクホール２２とポンプユニット１６との干渉によるポンプユニット１６の損傷、バリ、切り粉等の異物の発生及びタンク本体１２内への脱落を抑制することができる。
【００４９】
また、ポンプユニット１６の長手方向の一端部を回動可能に支持する回動支持手段７２が、タンク本体１２側に設けられた第３ガイド部６２の前端壁６２ａ（タンク本体側支持部）と、ポンプユニット１６側に設けられかつ第３ガイド部６２の前端壁６２ａに係合される前側のガイドピン５１（ポンプユニット側支持部）とにより構成されている。また、ガイドレール５５には、タンク本体１２のタンクホール２２側から底部側に延在する第１ガイド部６０が設けられている。したがって、ガイドレール５５の第１ガイド部６０により、ポンプユニット１６の前側のガイドピン５１をタンク本体１２のタンクホール２２側から底部側にガイドすることができる。また、ポンプユニット１６を傾斜姿勢（図９参照）からサブタンク１４に対する組付け位置（図２参照）とする際には、回動支持手段７２の第３ガイド部６２の前端壁６２ａ（タンク本体側支持部）と前側のガイドピン５１（ポンプユニット側支持部）との係合により、ポンプユニット１６の長手方向の一端部（前端部）を回動可能に支持することができる（図２及び図９参照）。よって、回動支持手段７２を回動支点として、ポンプユニット１６をタンク本体１２の底部側の組付け位置に容易に回動させることができる。
【００５０】
また、第１ガイド部６０の底部側端部に連続され、回動支持手段７２を回動支点としてポンプユニット１６を下方へ回動させる際に後側のガイドピン５３をガイドする第２ガイド部６４が設けられている。したがって、回動支持手段７２を回動支点としてポンプユニット１６を回動させることにより、後側のガイドピン５３がガイドレール５５の第２ガイド部６４によりガイドされる。このため、ポンプユニット１６をタンク本体１２の底部側の組付け位置に容易に移動させることができる。
【００５１】
また、後側のガイドピン５３がガイドレール５５の第２ガイド部６４を下方に摺動した際に、マウント３０が弾性変形する。そして、ポンプユニット１６をサブタンク１４に対する組付け位置（図２参照）としたときには、マウント３０の弾性復元により、第２ガイド部６４のロック溝部６５に後側のガイドピン５３が係合することによって、タンク本体１２にポンプユニット１６がロックされる。また、マウント３０の弾性を利用して、第２ガイド部６４のロック溝部６５に対する後側のガイドピン５３の係合を解除することによって、ポンプユニット１６を挿入時とは逆順で取外すことができる。よって、ポンプユニット１６をタンク本体１２に着脱可能に組付けることができる。また、第２ガイド部６４のロック溝部６５と後側のガイドピン５３とによりロック手段６７（図２参照）が構成されるため、ロック手段６７としての特別な部材（例えば、バネ部材等）を設けなくて済む。
【００５２】
また、ポンプユニット１６の長手方向の一端部に、前側のガイドピン５１が設けられ、ガイドレール５５には、第１ガイド部６０の底部側端部に連続され、前側のガイドピン５１をタンク本体１２の底部に沿って所定位置までガイドする第３ガイド部６２が設けられている。したがって、前側のガイドピン５１を、ガイドレール５５の第１ガイド部６０及び第３ガイド部６２によって、回動支持手段７２に向けてガイドすることができる。
【００５３】
また、前側のガイドピン５１は、回動支持手段７２（図２参照）のポンプユニット側支持部を兼用するように構成されている。したがって、ポンプユニット側支持部として、特別な部材を設けなくて済む。また、第３ガイド部６２の前端壁６２ａを、回動支持手段７２のタンク本体側支持部とすることによって、タンク本体側支持部として特別な部材を設けなくて済む。
【００５４】
なお、弾性変形可能な摺動子側の部材としては、マウント３０に限らず、前側のガイドピン５１及び／又は後側のガイドピン５３を用いてもよい。また、摺動子側の部材を弾性変形可能に形成する代わりに、マウント３０に対して前側のガイドピン５１及び／又は後側のガイドピン５３を相互間の間隔を狭める方向にスライド可能に配置し、そのガイドピンをバネ部材によって相互間の間隔を拡げる方向に付勢する構成としてもよい。
【００５５】
［実施形態２］実施形態２以降の実施形態は、実施形態１に変更を加えたものであるから、その変更部分について説明し、重複する説明は省略する。図１０はサブタンクを示す平面図である。図１０に示すように、サブタンク（符号、７４を付す）は、実施形態１（図５参照）のサブタンク１４の後側板部２８が省略されている。サブタンク７４は、実施形態１のサブタンク１４の左右方向の幅寸法よりも広い幅寸法で形成されている。左右のガイドレール５５は、左側板部２５及び右側板部２６とは別個に形成されている。すなわち、底板部２４上には、左側板７５及び右側板７６が立設されている。左側板７５と右側板７６との間隔は、実施形態１のサブタンク１４（図５参照）の左側板部２５と右側板部２６との間隔と同じに設定されている。左側板７５及び右側板７６の対向側面にガイドレール５５が左右対称的に設けられている。ガイドレール５５は、左側板７５及び右側板７６の一部を溝底壁５７として兼用している。また、左側板部２５及び右側板部２６には、実施形態１（図５参照）の突出部２５ａ，２６ａは形成されていない。
【００５６】
本実施形態のサブタンク７４によると、実施形態１のポンプユニット１６を共通使用することができる。なお、ガイドレール５５を備える左側板７５及び右側板７６は、タンク本体１２の底面部２１上に配置してもよい。また、溝底壁５７を有するガイドレール５５をサブタンク１４の底板部２４又はタンク本体１２の底面部２１上に配置してもよい。
【００５７】
［実施形態３］図１１はサブタンクに対するポンプユニットの組付け状態を一部破断して示す側面図、図１２はサブタンクを示す平面図、図１３は図１２のXIII−XIII線矢視断面図である。図１１に示すように、本実施形態では、実施形態１（図２参照）における前側のガイドピン５１は、ストッパピン（符号、７８を付す）として用いられる。また、実施形態１における後側のガイドピン５３は、ガイドピン（符号、７９を付す）として用いられる。図１２及び図１３に示すように、サブタンク１４の左側板部２５及び右側板部２６の前端部の内側面には、左右一対のストッパ片８０が左右対称的に設けられている。ストッパ片８０は、前後方向に延びる突片状に形成されている。なお、ストッパピン７８は本明細書でいう「ストッパ部材」に相当する。また、ガイドピン７９は本明細書でいう「摺動子」に相当する。また、ストッパ片８０は本明細書でいう「係合部材」に相当する。
【００５８】
サブタンク１４の底板部２４は、主として傾斜姿勢のポンプユニット１６のマウント３０の両支持側板３４の先端部（前端部）の円弧状面３４ａを水平方向前方にガイドする部材として用いられる（図１４及び図１５参照）。なお、底板部２４は本明細書でいう「第３ガイド部材」に相当する。また、底板部２４はガイド手段の一部を構成している。なお、図１４はタンク本体に対するポンプユニットの組付け過程１を示す側断面図、図１５は同じく組付け過程２を示す側断面図である。
【００５９】
サブタンク１４の前側板部２７は、傾斜姿勢のポンプユニット１６のマウント３０の両支持側板３４の先端部（前端部）が当接する部材として用いられる（図１５参照）。垂直姿勢又は略垂直姿勢のポンプユニット１６の両支持側板３４の先端部（前端部）がサブタンク１４の前側板部２７に当接したときには、ストッパ片８０の下側にストッパピン７８が係合される。すなわち、サブタンク１４の前側板部２７及びストッパ片８０を本明細書でいう「タンク本体側支持部」とし、ストッパピン７８を本明細書でいう「ポンプユニット側支持部」として、相互に回動可能にかつ係脱可能に係合する回動支持手段８２が構成されている（図１１参照）。なお、前側板部２７は本明細書でいう「当接部材」に相当する。
【００６０】
図１３に示すように、ガイドレール（符号、８４を付す）は、実施形態１（図６参照）のガイドレール５５のうち、傾斜部６３を含む第３ガイド部６２が省略されている。また、第１ガイド部６０の下端部に第２ガイド部（符号、８６を付す）が連続状に形成されている。第２ガイド部８６の下端部は、底板部２４まで延長されている。このため、実施形態１（図６参照）の第２ガイド部６４の下端壁６４ａ及びロック溝部６５が省略されている。なお、第２ガイド部８６の下端部は、底板部２４から離れていてもよい。
【００６１】
第２ガイド部８６は、回動支持手段８２（図１５参照）を回動支点とするポンプユニット１６の回動にともなうガイドピン７９の回動軌跡に倣う曲率半径で形成されている。このため、実施形態１と異なり、ポンプユニット１６を傾斜姿勢からサブタンク１４に対する組付け位置へ回動させても、マウント３０には弾性変形が生じない。すなわち、本実施形態では、実施形態１（図２参照）のロック手段６７が省略されている。そして、代わりのロック手段９４（後述する）が設けられている（図１１参照）。
【００６２】
図１１に示すように、ポンプユニット１６の両支持側板３４の後端部の相互間には、周方向（図１１において紙面表裏方向）に延びるロックバー８８が架設されている。また、サブタンク１４の底板部２４の後端部上には、四角形板状のロック部材９０が立設されている（図１２及び図１３参照）。ロック部材９０は、サブタンク１４の左側板部２５と右側板部２６との間の中央部に配置され、左右方向に延在している。
【００６３】
図１３に示すように、ロック部材９０の高さ方向の中央部には、前方に突出するロック爪９１が形成されている。ロック爪９１は、ロックバー８８（図１１参照）に係合可能に形成されている。ロック部材９０のロック爪９１より上方へ突出する部分は、操作部９２とされている。ロック部材９０は、板厚方向すなわち前後方向に弾性変形すなわち撓み変形可能に形成されている（図１３中、二点鎖線９０参照）。すなわち、ロックバー８８とロック部材９０とにより、ロック手段９４が構成されている（図１１参照）。なお、ロックバー８８は本明細書でいう「ポンプユニット側ロック部」に相当する。また、ロック部材９０は本明細書でいう「タンク本体側ロック部」に相当する。
【００６４】
次に、タンク本体１２に対するポンプユニット１６の組付け方法について説明する。ポンプユニット１６を、長手方向の一端部（前端部）を斜め前方へ傾かせた略垂直姿勢としてタンク本体１２に挿入する。このとき、ガイドピン７９をガイドレール５５の導入口６１から第１ガイド部６０に係合させ、そのガイド部６０に沿って下方へ移動させていく。そして、マウント３０の両支持側板３４の円弧状面３４ａがサブタンク１４の底板部２４上に当接したら、その円弧状面３４ａを底板部２４上に沿って前方へ摺動させていく（図１４参照）。
【００６５】
すると、マウント３０の前端部がサブタンク１４の前側板部２７に当接し、ストッパピン７８がサブタンク１４のストッパ片８０に係合し、ポンプユニット１６が傾斜姿勢となる（図１５参照）。そして、前側板部２７及びストッパ片８０とストッパピン７８との係合による回動支持手段８２を回動支点として、ポンプユニット１６を下方へ回動させる。すなわち、ポンプユニット１６の後端部を押し下げていく。すると、ガイドピン７９が第２ガイド部８６を摺動していく。また、サブタンク１４のロック部材９０のロック爪９１にマウント３０のロックバー８８が当接すると、ロック部材９０が後方へ弾性変形（図１３中、二点鎖線９０参照）されていき、ロックバー８８がロック爪９１を通過すると同時に、ロック部材９０が弾性復元し、ロックバー８８にロック爪９１が係合いわゆるスナップフィット係合される（図１１参照）。これにより、タンク本体１２にポンプユニット１６がロックされる。
【００６６】
また、ポンプユニット１６を取外したい場合には、ロック部材９０の操作部９２を後方へ押すことにより、ロックバー８８に対するロック爪９１の係合を解除（図１３中、二点鎖線９０参照）した後、回動支持手段８２を回動支点として、ポンプユニット１６を上方へ回動させる。すなわち、ポンプユニット１６の後端部を引き上げる。以降、挿入時とは逆順で、ポンプユニット１６を取外せばよい。
【００６７】
本実施形態の燃料タンク１０によると、タンク本体１２内にポンプユニット１６を組付ける際に、ガイド手段のガイドレール５５によってガイドピン７９がガイドされるとともに、サブタンク１４の底板部２４によってマウント３０の円弧状面３４ａがガイドされる。これによって、ポンプユニット１６がタンク本体１２のタンクホール２２側から底部側の組付け位置までガイドされる。したがって、ポンプユニット１６を迷わずに容易に組付け位置へ適正に移動させることができる。このため、作業時間を短縮するとともに、ポンプユニット１６の組付け不良を抑制することができる。よって、タンク本体１２に対するポンプユニット１６の組付け性を向上することができる。
【００６８】
また、回動支持手段８２の前側板部２７及びストッパ片８０（タンク本体側支持部）とストッパピン７８（ポンプユニット側支持部）との係合により、ポンプユニット１６の長手方向の一端部（前端部）を回動可能に支持することができる（図１１及び図１５参照）。また、ポンプユニット１６を傾斜姿勢（図１５参照）からサブタンク１４に対する組付け位置（図１１参照）とする際には、回動支持手段８２を回動支点としてポンプユニット１６を下方へ回動させることにより、ガイドレール５５の第２ガイド部８６によりガイドピン７９がガイドされる。このため、ポンプユニット１６をサブタンク１４に対する組付け位置に容易に移動させることができる。
【００６９】
また、ポンプユニット１６をサブタンク１４に対する組付け位置としたときには、ロック手段９４のロック部材９０にロックバー８８がロック部材９０の弾性変形を利用して係合することによって、タンク本体１２にポンプユニット１６がロックされる（図１１参照）。また、ロック部材９０に対するロックバー８８の係合をロック部材９０の弾性変形を利用して解除することによって、ポンプユニット１６を挿入時とは逆順で取外すことができる。よって、ポンプユニット１６をタンク本体１２に着脱可能に組付けることができる。なお、ロックバー８８を弾性変形可能に形成してもよい。また、サブタンク１４のタンク本体側ロック部としてロックバー８８を配置し、ポンプユニット１６のポンプユニット側ロック部としてロック部材９０を配置してもよい。
【００７０】
また、タンク本体１２の底部に設けたサブタンク１４の底板部２４によって、垂直姿勢又は略垂直姿勢のポンプユニット１６の先端部（前端部）の円弧状面３４ａを水平方向前方にガイドすることができる。また、サブタンク１４の底板部２４が第３ガイド部材を兼用することにより、専用の第３ガイド部材を設けなくて済む。なお、サブタンク１４の底板部２４に専用の第３ガイド部材を配置してもよい。
【００７１】
［実施形態４］図１６はサブタンクを示す平面図である。図１６に示すように、本実施形態は、実施形態２（図１０参照）のサブタンク７４の左側板７５及び右側板７６の対向側面に、ガイドレール５５に代えて、実施形態３のガイドレール８４及びストッパ片８０が左右対称的に設けられている。本実施形態のサブタンク７４によると、実施形態３のポンプユニット１６を共通使用することができる。なお、ガイドレール８４及びストッパ片８０を備える左側板７５及び右側板７６は、タンク本体１２の底面部２１上に配置してもよい。また、ロック部材９０は、タンク本体１２の底面部２１上に配置してもよい。この場合、タンク本体１２の底面部２１を第３ガイド部材として兼用するとよい。また、タンク本体１２の底面部２１に専用の第３ガイド部材を配置してもよい。また、ガイドレール８４及びストッパ片８０を、サブタンク１４の底板部２４又はタンク本体１２の底面部２１上に独立的に配置してもよい。
【００７２】
［実施形態５］図１７はサブタンクに対するポンプユニットの組付け状態を示す平面図、図１８は図１７XVIII−XVIII線矢視断面図である。図１７及び図１８に示すように、本実施形態は、実施形態３（図１１参照）の回動支持手段８２を回動支持手段（符号、９６を付す）に変更したものである。これにともない、実施形態３（図１１参照）におけるサブタンク１４のストッパ片８０、及び、マウント３０の左右のストッパピン７８が省略されている。
【００７３】
サブタンク１４の前側板部２７には、左右の係止凹部９８が形成されている。両係止凹部９８は、いずれも後方に開口する横向きの有底四角筒形状に形成されている。また、マウント３０の両支持側板３４の前端部（先端部）の相互間には、横架材１００が架設されている。横架材１００には、前方へ突出する突片状の左右の係止凸部１０２が形成されている。左右の係止凸部１０２は、サブタンク１４の左右の係止凹部９８に係合可能に形成されている。なお、係止凹部９８は本明細書でいう「タンク本体側係止部」、「タンク本体側支持部」に相当する。また、係止凸部１０２は本明細書でいう「ポンプユニット側係止部」、「ポンプユニット側支持部」に相当する。また、係止凹部９８と係止凸部１０２とにより、相互に回動可能にかつ係脱可能に係合する回動支持手段９６が構成されている。また、本実施形態では、左右の計２つの回動支持手段９６が設けられているが、その回動支持手段９６の数は適宜増減してもよい。
【００７４】
本実施形態の燃料タンク１０によると、回動支持手段９６の係止凹部９８（タンク本体側支持部）と係止凸部１０２（ポンプユニット側支持部）との係合により、ポンプユニット１６の長手方向の一端部（前端部）を回動可能に支持することができる。なお、図１９はタンク本体に対するポンプユニットの組付け過程を示す側断面図である。また、サブタンク１４のタンク本体側係止部として係止凸部１０２を配置し、マウント３０のポンプユニット側係止部として係止凹部９８を配置してもよい。
【００７５】
［実施形態６］図２０はサブタンクに対するポンプユニットの組付け状態を示す側断面図である。図２０に示すように、本実施形態は、実施形態１（図２参照）のサブタンク１４及びポンプユニット１６が流用されている。そして、ガイドレール（符号、１０４を付す）は、実施形態１の第２ガイド部６４が、実施形態３（図１１参照）の第２ガイド部８６に変更されている。さらに、サブタンク１４とポンプユニット１６との間には、実施形態３（図１１参照）のロック手段９４が設けられている。
【００７６】
［実施形態７］図２１は燃料タンクの要部を示す側断面図、図２２はタンク本体に対するポンプユニットの組付け過程を示す側断面図である。図２１に示すように、本実施形態のポンプユニット１６のマウント３０の前側のガイドピン（符号、１１０を付す）は、例えば長円形軸状に形成されている。前側のガイドピン１１０の長軸方向は、マウント３０の長手方向と同方向に向けられている。また、マウント３０の後側のガイドピン（符号、１１２を付す）は、例えば方形軸状に形成されている。
【００７７】
本実施形態のガイドレール（符号、１１４を付す）は、実施形態１（図１〜図６参照）のサブタンク１４の底板部２４上に左右対称的（図２１では左側のガイドレール１１４のみを示す）に設けられている。ガイドレール１１４は、前側のガイド面１１６及び後側のガイド面１１８を有する山形状に形成されている。ガイドレール１１４の上端部は、サブタンク１４の水平状態での燃料を貯留可能な高さ位置よりも上方へ延出されている。また、ガイドレール１１４の上端部は、タンク本体１２のタンクホール２２の中央部の下方付近に向けて延びている。
【００７８】
前側のガイド面１１６は、タンク本体１２のタンクホール２２側から底部側の斜め前方に向けて延在している。前側のガイド面１１６は、急な斜面からなる前側の上流ガイド部１２０と、前側の上流ガイド部１２０の下端部に傾斜ガイド部１２１を介して連続されかつ前方へ延びる前側の下流ガイド部１２２とを有している。傾斜ガイド部１２１は、凹型円弧状に形成されている。ガイドレール１１４の前端部には、前側の下流ガイド部１２２の前端に連続しかつ後方を開口する横向きＵ字状の係止溝１２４を有する係止壁部１２３が形成されている。
【００７９】
後側のガイド面１１８は、タンク本体１２のタンクホール２２側から底部側の斜め後方に向けて延在している。後側のガイド面１１８は、急な斜面からなる後側の上流ガイド部１２６と、後側の上流ガイド部１２６に連続する円弧状の後側の下流ガイド部１２８とを有している。後側の下流ガイド部１２８は、係止壁部１２３に係合した状態での前側のガイドピン１１０を中心とするマウント３０の上下方向の回動にともなう後側のガイドピン１１２の回動軌跡に略倣う曲率半径で形成されている。また、前後の上流ガイド部１２０，１２６は、前後対称的に形成されている。
【００８０】
ガイドレール１１４の後端部には、後側の下流ガイド部１２８の下端に連続しかつ上方を開口する四角形溝状のロック溝１３１を有するロック部１３０が形成されている。ロック部１３０には、前方に突出するロック爪１３２が形成されている。ロック部１３０のロック爪１３２より上方へ突出する部分は、操作部１３３とされている。ロック部１３０は、前後方向に弾性変形すなわち撓み変形可能に形成されている（図２２中、二点鎖線１３０参照）。ロック爪１３２は、ロック溝１３１に係合した後側のガイドピン１１２に対してロック部１３０の弾性変形を利用して係合可能に形成されている。
【００８１】
図２１に示すように、後側のガイドピン１１２とロック部１３０とにより、ロック手段１３５が構成されている。また、係止壁部１２３を本明細書でいう「タンク本体側支持部」とし、前側のガイドピン１１０を本明細書でいう「ポンプユニット側支持部」として、相互に回動可能にかつ係脱可能に係合する回動支持手段１３７が構成されている。また、両ガイドピン１１０，１１２とガイドレール１１４とにより、ガイド手段が構成されている。ガイド手段は、左右対称的（図２１及び図２２では一方のみを示す）に配置されている。
【００８２】
また、本実施形態では、サブタンク１４の左側板部２５、右側板部（不図示）、前側板部２７及び後側板部２８の上端面は、同一高さで形成されている。また、左側板部２５（及び右側板部）には、実施形態１の突出部２５ａ，２６ａ（図５及び図６参照）は形成されていない。また、実施形態１と異なり、サブタンク１４に対するポンプユニット１６の組付け状態（図２１参照）において、マウント３０の前端部は、前側板部２７に対して近接又は当接しなくてもよい。また、マウント３０の後端部は、後側板部２８に対して近接又は当接しなくてもよい。また、本実施形態において、実施形態１のマウント３０の円弧状面３４ａ及び傾斜状面３４ｂ（図４参照）は、省略されている。また、図２１及び図２２において、フランジユニット１８、ポンプユニット１６における支持側板３４及び台板３６、燃料フィルタ３８、プレッシャレギュレータ４２等は省略されている。
【００８３】
なお、前側のガイドピン１１０は本明細書でいう「摺動子」、「先行側摺動子」、「ポンプユニット側支持部」に相当する。また、後側のガイドピン１１２は本明細書でいう「摺動子」、「後行側摺動子」に相当する。なお、後側のガイドピン１１２は本明細書でいう「ポンプユニット側ロック部」に相当する。また、前側の上流ガイド部１２０及び後側の上流ガイド部１２６は、本明細書でいう「第１ガイド部」に相当する。また、前側の下流ガイド部１２２は、本明細書でいう「第３ガイド部」に相当する。また、後側の下流ガイド部１２８は、本明細書でいう「第２ガイド部」に相当する。また、ロック部１３０は本明細書でいう「タンク本体側ロック部」に相当する。
【００８４】
次に、タンク本体１２に対するポンプユニット１６の組付け方法について説明する。ポンプユニット１６を、長手方向の一端部（前端部）を斜め前方へ傾かせた略垂直姿勢としてタンク本体１２に挿入する。このとき、前側のガイドピン１１０を、サブタンク１４のガイドレール１１４の前側の上流ガイド部１２０に係合させ、その前側の上流ガイド部１２０に沿って下方へ摺動させていく。続いて、前側のガイドピン１１０を、前側の上流ガイド部１２０から傾斜ガイド部１２１に摺動させる（図２２参照）。この状態から、前側のガイドピン１１０を前側の下流ガイド部１２２に沿って前方へ移動させつつ、後側のガイドピン１１２をガイドレール１１４の後側の上流ガイド部１２６に係合させ、その後側の上流ガイド部１２６に沿って下方へ摺動させていく。すると、前側のガイドピン１１０がガイドレール１１４の係止壁部１２３の係止溝１２４に係合する。
【００８５】
続いて、係止壁部１２３と前側のガイドピン１１０との係合による回動支持手段１３７（図２１参照）を回動支点として、ポンプユニット１６を下方へ回動させる。すなわち、ポンプユニット１６の後端部を押し下げていく。すると、後側のガイドピン１１２が後側の下流ガイド部１２８を摺動していく。そして、ガイドレール１１４のロック部１３０のロック爪１３２に後側のガイドピン１１２が当接すると、ロック部１３０が後方へ弾性変形（図２１中、二点鎖線１３０参照）されていき、後側のガイドピン１１２がロック爪１３２を通過すると同時にロック部１３０が弾性復元し、後側のガイドピン１１２にロック爪１３２が係合いわゆるスナップフィット係合される（図２１参照）。これにより、タンク本体１２にポンプユニット１６がロックされる。
【００８６】
また、ポンプユニット１６を取外したい場合には、ロック部１３０の操作部１３３を後方へ押すことにより、後側のガイドピン１１２に対するロック爪１３２の係合を解除（図２１中、二点鎖線１３０参照）した後、回動支持手段１３７を回動支点として、ポンプユニット１６を上方へ回動させる。すなわち、ポンプユニット１６の後端部を引き上げる。以降、挿入時とは逆順で、ポンプユニット１６を取外せばよい。
【００８７】
前記した燃料タンク１０によると、タンク本体１２内にポンプユニット１６を組付ける際に、ガイド手段のガイドレール１１４によって両ガイドピン１１０，１１２がガイドされる。これによって、ポンプユニット１６がタンク本体１２のタンクホール２２側から底部側の組付け位置までガイドされる。したがって、ポンプユニット１６を迷わずに容易に組付け位置へ適正に移動させることができる。このため、作業時間を短縮するとともに、ポンプユニット１６の組付け不良を抑制することができる。よって、タンク本体１２に対するポンプユニット１６の組付け性を向上することができる。
【００８８】
また、ポンプユニット１６の長手方向の一端部を回動可能に支持する回動支持手段１３７が、タンク本体１２側に設けられた係止壁部１２３（タンク本体側支持部）と、ポンプユニット１６側に設けられかつ係止壁部１２３に係合される前側のガイドピン１１０（ポンプユニット側支持部）とにより構成されている。また、ガイドレール５５には、タンク本体１２のタンクホール２２側から底部側に延在する前側の上流ガイド部１２０及び後側の上流ガイド部１２６が設けられている。したがって、ポンプユニット１６の前側のガイドピン１１０及び後側のガイドピン１１２をタンク本体１２のタンクホール２２側から底部側にガイドすることができる。また、回動支持手段１３７の係止壁部１２３（タンク本体側支持部）と前側のガイドピン１１０（ポンプユニット側支持部）との係合により、ポンプユニット１６の長手方向の一端部（前端部）を回動可能に支持することができる。よって、回動支持手段１３７を回動支点として、ポンプユニット１６をタンク本体１２の底部側の組付け位置に容易に回動させることができる。
【００８９】
また、後側の上流ガイド部１２６の底部側端部に連続され、回動支持手段１３７を回動支点としてポンプユニット１６を下方へ回動させる際に後側のガイドピン１１２をガイドする後側の下流ガイド部１２８が設けられている。したがって、回動支持手段１３７を回動支点としてポンプユニット１６を回動させることにより、後側のガイドピン１１２がガイドレール５５の後側の下流ガイド部１２８によりガイドされる。このため、ポンプユニット１６をタンク本体１２の底部側の組付け位置に容易に移動させることができる。
【００９０】
また、タンク本体１２とポンプユニット１６との間には、回動支持手段１３７を回動支点としてポンプユニット１６をタンク本体１２の底部側の組付け位置に回動したときに、相互に係合するロック手段１３５が設けられている。ロック手段１３５は、タンク本体１２側に設けられたロック部１３０と、ポンプユニット１６側に設けられかつロック部１３０に係合される後側のガイドピン１１２とを備えている。ロック部１３０と後側のガイドピン１１２とは、ロック部１３０の弾性変形を利用して係合可能に構成されている。したがって、ポンプユニット１６をタンク本体１２の底部側の組付け位置に回動したときには、ロック手段１３５のロック部１３０に後側のガイドピン１１２がロック部１３０の弾性変形を利用して係合することによって、タンク本体１２にポンプユニット１６がロックされる。また、ロック部１３０に対する後側のガイドピン１１２の係合をロック部１３０の弾性変形を利用して解除することによって、ポンプユニット１６を挿入時とは逆順で取外すことができる。よって、ポンプユニット１６をタンク本体１２に着脱可能に組付けることができる。
【００９１】
また、ポンプユニット１６の長手方向の一端部に、前側のガイドピン１１０が設けられ、ガイドレール５５には、前側の上流ガイド部１２０の底部側端部に傾斜ガイド部１２１を介して連続され、前側のガイドピン１１０をタンク本体１２の底部に沿って所定位置までガイドする前側の下流ガイド部１２２が設けられている。したがって、前側のガイドピン１１０を、ガイドレール５５の前側の下流ガイド部１２２によって、回動支持手段１３７に向けてガイドすることができる。
【００９２】
また、前側のガイドピン１１０は、回動支持手段１３７のポンプユニット側支持部を兼用するように構成されている。したがって、ポンプユニット側支持部として、特別な部材を設けなくて済む。また、係止壁部１２３を、回動支持手段１３７のタンク本体側支持部とすることによって、タンク本体側支持部として特別な部材を設けなくて済む。
【００９３】
［実施形態８］図２３は燃料タンクの要部を示す側断面図である。図２３に示すように、本実施形態では、実施形態７（図２１参照）のサブタンク１４とタンクホール２２とが前後方向（図２３において左右方向）にオフセットして配置されている。そして、ガイドレール１１４の両ガイド面１１６，１１８の山形状が、その上端部をタンク本体１２のタンクホール２２の中央部の下方付近に向けて延びる傾斜状に形成されている。したがって、サブタンク１４とタンクホール２２とがオフセットして配置されていても、タンク本体１２内にポンプユニット１６を容易に組付けることができる。また、本実施形態のサブタンク（符号、１４０を付す）では、実施形態７（図２１参照）のサブタンク１４の後側板部２８が省略されている。
【００９４】
［実施形態９］図２４は燃料タンクの要部を示す側断面図である。図２４に示すように、本実施形態では、実施形態７（図２１参照）のガイドレール１１４の前側のガイド面１１６の形状が、簡略化された形状の前側のガイド面（符号、１４２を付す）に変更されている。すなわち、傾斜ガイド部（符号、１２１ａを付す）の曲率半径が小径化されているとともに、前側の上流ガイド部（符号、１２０ａを付す）及び前側の下流ガイド部（符号、１２２ａを付す）が直線状に形成されている。また、実施形態７（図２１参照）の後側のガイド面１１８が、簡略化された形状の後側のガイド面（符号、１４４を付す）に変更されている。すなわち、後側のガイド面１４４は、上端から下端まで直線状に形成されている。なお、後側のガイド面１４４は本明細書でいう「第１ガイド部」に相当する。
【００９５】
また、実施形態７（図２１参照）のマウント３０の後側のガイドピン１１２が、例えば丸軸形状の後側のガイドピン（符号、１４６を付す）に変更されている。これにともない、実施形態７（図２１参照）のガイドレール１１４のロック溝（符号、１４８を付す）がＵ字溝状に形成されている。なお、後側のガイドピン１４６は本明細書でいう「摺動子」、「後行側摺動子」、「ポンプユニット側ロック部」に相当する。
【００９６】
［実施形態１０］図２５は燃料タンクの要部を示す側断面図である。図２５に示すように、本実施形態は、実施形態７（図２１参照）のサブタンク１４を省略し、ガイドレール１１４をタンク本体１２の底面部２１上に配置したものである。
【００９７】
［実施形態１１］図２６は燃料タンクの要部を示す側断面図、図２７はサブタンクに対するポンプユニットの組付け状態を示す平面図、図２８は図２７のXXVIII−XXVIII線矢視断面図、図２９は図２７のXXIX−XXIX線矢視断面図である。図２６に示すように、本実施形態は、実施形態７（図２１参照）のガイドレール１１４を、ガイドレール（符号、１５０を付す）に変更している。ガイドレール１５０は、実施形態７のガイドレール１１４から前側の下流ガイド部１２２、係止壁部１２３、及び、ロック部１３０を含む下端部が省略されたものとなっている。
【００９８】
ガイドレール１５０の前側のガイド面（符号、１５１を付す）の前側の上流ガイド部（符号、１５２を付す）は、直線状に形成されている。また、傾斜ガイド部（符号、１５３を付す）は、直線状に形成されている。後側のガイド面（符号、１５４を付す）は、上端から下端まで鉛直方向に延在する直線状に形成されている。ガイドレール１５０は、サブタンク１４の左側板部２５及び右側板部２６の内側面に沿って配置されている（図２７〜図２９参照）。図２７に示すように、左側板部２５及び右側板部２６には、ガイドレール１５０によって閉鎖される切欠き部１５６が開口されている。なお、切欠き部１５６は省略してもよい。
【００９９】
図２８に示すように、マウント３０の前部の左右両側端部には、下方へ突出する左右一対の脚片１５８が設けられている。脚片１５８は、四角形板状で、下端部の前後両角部が半円弧状に丸められている（図２６参照）。脚片１５８の外側面には、前側のガイドピン（符号、１６０を付す）が配置されている。
【０１００】
図２７及び図２８に示すように、サブタンク１４の底板部２４の前部上には、左右一対の係止片１６２が左右対称的に設けられている。左側の係止片１６２は、サブタンク１４の底板部２４と左側板部２５とのなす隅角部に配置されている。右側の係止片１６２は、サブタンク１４の底板部２４と右側板部２６とのなす隅角部に配置されている。両係止片１６２は、いずれも後方に開口する逆Ｌ字形状に形成されており、ガイドピン１６０を後方から係合可能である（図２６参照）。係止片１６２を本明細書でいう「タンク本体側支持部」とし、ガイドピン１６０を本明細書でいう「ポンプユニット側支持部」として、相互に回動可能にかつ係脱可能に係合する回動支持手段１６４が構成されている（図２６〜図２８参照）。
【０１０１】
図２７に示すように、マウント３０の後端部の左右両側面には、左右一対のガイド片１６６が設けられている。ガイド片１６６は、縦長の四角形板状で、下端部がマウント３０より下方へ突出されている（図２６参照）。ガイド片１６６の下端部の前後両角部が半円弧状に丸められている。また、サブタンク１４の底板部２４の後部上には、左右一対の規制片１６８が左右対称的に設けられている（図２９参照）。左側の規制片１６８は、サブタンク１４の底板部２４と左側板部２５とのなす隅角部に配置されている。右側の規制片１６８は、サブタンク１４の底板部２４と右側板部２６とのなす隅角部に配置されている。両規制片１６８は、いずれも両ガイドレール１５０の後側のガイド面１５４に面する突片状に形成されている（図２６参照）。サブタンク１４の底板部２４上において、両規制片１６８と両ガイドレール１５０との間には、ガイド片１６６を上方から係合可能とする係合溝１７０が形成されている。
【０１０２】
図２９に示すように、サブタンク１４の左側板部２５及び右側板部２６の後上部の内側面には、ロック凹部１７２が形成されている（図２６参照）。ロック凹部１７２は、横向きの有底穴形状に形成されているが、貫通孔形状に変更してもよい。一方、マウント３０の両ガイド片１６６上には、左右一対のロック片１７４が左右対称的に設けられている。ロック片１７４の中央部には、外側方に突出するロック爪１７５が形成されている。ロック片１７４のロック爪１７５より上方へ突出する部分は、操作部１７６とされている。ロック片１７４は、左右方向に弾性変形すなわち撓み変形可能に形成されている（図２９中、二点鎖線１７６参照）。ロック爪１７５は、サブタンク１４のロック凹部１７２に対してロック片１７４の弾性変形を利用して係合可能に形成されている。ロック凹部１７２とロック片１７４とにより、ロック手段１７８が構成されている。
【０１０３】
なお、後側のガイド面１５４は本明細書でいう「第１ガイド部」に相当する。また、ガイドピン１６０は本明細書でいう「摺動子」、「先行側摺動子」、「ポンプユニット側支持部」に相当する。また、ガイド片１６６は本明細書でいう「摺動子」、「後行側摺動子」に相当する。また、ロック凹部１７２は本明細書でいう「ポンプユニット側ロック部」に相当する。また、ロック片１７４は本明細書でいう「タンク本体側ロック部」に相当する。また、タンク本体１２の底面部２１は本明細書でいう「第３ガイド部材」に相当する。
【０１０４】
次に、タンク本体１２に対するポンプユニット１６の組付け方法について説明する。ポンプユニット１６を、長手方向の一端部（前端部）を斜め前方へ傾かせた略垂直姿勢としてタンク本体１２に挿入する。このとき、ガイドピン１６０を、サブタンク１４のガイドレール１５０の前側の上流ガイド部１５２に係合させ、その前側の上流ガイド部１５２に沿って下方へ摺動させていく。続いて、ガイドピン１６０を、前側の上流ガイド部１５２から傾斜ガイド部１５３に摺動させる。この状態から、ガイドピン１６０をタンク本体１２の底面部２１に沿って前方へ移動させつつ、ガイド片１６６をガイドレール１５０の後側のガイド面１５４に係合させ、そのガイド面１５４に沿って下方へ摺動させていく。すると、ガイドピン１６０がサブタンク１４の係止片１６２に係合する。
【０１０５】
続いて、係止片１６２とガイドピン１６０との係合による回動支持手段１６４（図２６参照）を回動支点として、ポンプユニット１６を下方へ回動させる。すなわち、ポンプユニット１６の後端部を押し下げていく。そして、サブタンク１４の左側板部２５及び右側板部２６に、ロック片１７４のロック爪１７５が当接すると、ロック片１７４が内側方へ弾性変形（図２９中、二点鎖線１７４参照）されていき、サブタンク１４のロック凹部１７２にロック爪１７５が整合すると同時に、ロック部１３０が弾性復元し、ロック凹部１７２にロック爪１７５が係合いわゆるスナップフィット係合される（図２９参照）。これと同時に、サブタンク１４の係合溝１７０にガイド片１６６が係合する（図２６参照）。これにより、タンク本体１２にポンプユニット１６がロックされる。
【０１０６】
また、ポンプユニット１６を取外したい場合には、ロック片１７４の操作部１７６を内側方へ押すことにより、ロック凹部１７２に対するロック爪１７５の係合を解除（図２９中、二点鎖線１７５参照）した後、回動支持手段１６４を回動支点として、ポンプユニット１６を上方へ回動させる。すなわち、ポンプユニット１６の後端部を引き上げる。以降、挿入時とは逆順で、ポンプユニット１６を取外せばよい。
【０１０７】
前記した燃料タンク１０によると、タンク本体１２内にポンプユニット１６を組付ける際に、ガイド手段のガイドレール１５０によってガイドピン１６０及びガイド片１６６がガイドされる。これによって、ポンプユニット１６がタンク本体１２のタンクホール２２側から底部側の組付け位置までガイドされる。したがって、ポンプユニット１６を迷わずに容易に組付け位置へ適正に移動させることができる。このため、作業時間を短縮するとともに、ポンプユニット１６の組付け不良を抑制することができる。よって、タンク本体１２に対するポンプユニット１６の組付け性を向上することができる。
【０１０８】
また、ポンプユニット１６の長手方向の一端部を回動可能に支持する回動支持手段１６４が、タンク本体１２側に設けられた係止片１６２（タンク本体側支持部）と、ポンプユニット１６側に設けられかつ係止片１６２に係合されるガイドピン１６０（ポンプユニット側支持部）とにより構成されている。また、ガイドレール１５０には、前側の上流ガイド部１５２及び後側のガイド面１５４が設けられている。したがって、ガイドレール１５０の前側の上流ガイド部１５２及び後側のガイド面１５４により、ポンプユニット１６のガイドピン１６０及びガイド片１６６を上端部側から底部側にガイドすることができる。また、回動支持手段１６４の係止片１６２（タンク本体側支持部）とガイドピン１６０（ポンプユニット側支持部）との係合により、ポンプユニット１６の長手方向の一端部（前端部）を回動可能に支持することができる。よって、回動支持手段１６４を回動支点として、ポンプユニット１６をタンク本体１２の底部側の組付け位置に容易に回動させることができる。
【０１０９】
また、タンク本体１２とポンプユニット１６との間には、回動支持手段１６４を回動支点としてポンプユニット１６をタンク本体１２の底部側の組付け位置に回動したときに、相互に係合するロック手段１７８が設けられている。ロック手段１７８は、タンク本体１２側に設けられたロック凹部１７２と、ポンプユニット１６側に設けられかつロック凹部１７２に係合されるロック片１７４とを備えている。ロック凹部１７２とロック片１７４とは、ロック凹部１７２の弾性変形を利用して係合可能に構成されている。したがって、ポンプユニット１６をタンク本体１２の底部側の組付け位置に回動したときには、ロック手段１７８のロック凹部１７２にロック片１７４が弾性変形を利用して係合することによって、タンク本体１２にポンプユニット１６がロックされる。また、ロック凹部１７２に対するロック片１７４の係合をロック凹部１７２の弾性変形を利用して解除することによって、ポンプユニット１６を挿入時とは逆順で取外すことができる。よって、ポンプユニット１６をタンク本体１２に着脱可能に組付けることができる。なお、サブタンク１４の左側板部２５及び右側板部２６を弾性変形可能に形成してもよい。
【０１１０】
また、サブタンク１４の底板部２４によって、ポンプユニット１６のマウント３０の先端部（前端部）の脚片１５８を回動支持手段１６４に向けてガイドすることができる。また、ガイドピン１６０は、回動支持手段１６４のポンプユニット側支持部を兼用するように構成されている。したがって、ポンプユニット側支持部として、特別な部材を設けなくて済む。
【０１１１】
［実施形態１２］図３０は燃料タンクの要部を示す側断面図、図３１はサブタンクに対するポンプユニットの組付け状態を示す平面図、図３２は図３１のXXXII−XXXII線矢視断面図、図３３は図３１のXXXIII−XXXIII線矢視断面図である。図３０〜図３３に示すように、本実施形態は、実施形態１１（図２６〜図２９参照）におけるサブタンク１４の底板部２４の左右両側端部に、一段高くする段付部１８０が左右対称的に形成されている。両段付部１８０は、前後方向（図３０において左右方向）に直線状に延在している。両段付部１８０上には、実施形態１１（図２６参照）におけるガイドレール１５０、係止片１６２、規制片１６８が同様に配置されている。
【０１１２】
また、実施形態１１（図２６参照）のガイドピン１６０は前側のガイドピン（符号、１８２を付す）に変更され、ガイド片１６６は後側のガイドピン（符号、１８４を付す）に変更されている。前側のガイドピンは、マウント３０の左右の両側面の前端部に配置されている。前側のガイドピン１８２は、例えば丸軸形状に形成されている。また、実施形態１１（図２６参照）のガイド片１６６は後側のガイドピン（符号、１８４を付す）に変更されている。後側のガイドピン１８４は、マウント３０の左右の両側面の後端部に配置されている。後側のガイドピン１８４は、例えば丸軸形状に形成されている。また、係止片１６２を本明細書でいう「タンク本体側支持部」とし、前側のガイドピン１８２を本明細書でいう「ポンプユニット側支持部」として、相互に回動可能にかつ係脱可能に係合する回動支持手段１８６が構成されている（図３０〜図３２参照）。また、サブタンク１４の底板部２４の段付部１８０上において、両規制片１６８と両ガイドレール１５０との間には、係合溝（符号、１８８を付す）が形成されている（図３０参照）。係合溝１８８には、後側のガイドピン１８４を上方から係合可能となっている。
【０１１３】
図３３に示すように、マウント３０の後端部の左右両端部上には、例えばロック柱１９０が左右対称的に設けられている。ロック柱１９０の上端部には、外側方へ突出するフランジ部１９２が形成されている。一方、サブタンク１４の左側板部２５及び右側板部２６の後端部上には、左右一対のロック片１９４が左右対称的に設けられている。ロック片１９４の上部には、内側方に突出するロック爪１９５が形成されている。ロック片１９４は、左右方向に弾性変形すなわち撓み変形可能に形成されている（図３３中、二点鎖線１９４参照）。ロック爪１９５は、マウント３０のロック柱１９０のフランジ部１９２に対してロック片１９７の弾性変形を利用して係合可能に形成されている。ロック柱１９０とロック片１９４とにより、ロック手段１９８が構成されている。
【０１１４】
なお、サブタンク１４の段付部１８０は本明細書でいう「第３ガイド部材」に相当する。また、前側のガイドピン１８２は本明細書でいう「摺動子」、「先行側摺動子」、「ポンプユニット側支持部」に相当する。また、後側のガイドピン１８４は本明細書でいう「摺動子」、「後行側摺動子」に相当する。また、ロック柱１９０は本明細書でいう「ポンプユニット側ロック部」に相当する。また、ロック片１９４は本明細書でいう「タンク本体側ロック部」に相当する。
【０１１５】
次に、タンク本体１２に対するポンプユニット１６の組付け方法について説明する。ポンプユニット１６を、長手方向の一端部（前端部）を斜め前方へ傾かせた略垂直姿勢としてタンク本体１２に挿入する。このとき、前側のガイドピン１８２を、サブタンク１４のガイドレール１５０の前側の上流ガイド部１５２に係合させ、その前側の上流ガイド部１５２に沿って下方へ摺動させていく。続いて、前側のガイドピン１８２を、前側の上流ガイド部１５２から傾斜ガイド部１５３に摺動させる。この状態から、前側のガイドピン１８２を、タンク本体１２の底面部２１の段付部１８０に沿って前方へ移動させつつ、後側のガイドピン１８４をガイドレール１５０の後側のガイド面１５４に係合させ、そのガイド面１５４に沿って下方へ摺動させていく。すると、前側のガイドピン１８２がサブタンク１４の係止片１６２に係合する。
【０１１６】
続いて、係止片１６２と前側のガイドピン１８２との係合による回動支持手段１８６を回動支点として、ポンプユニット１６を下方へ回動させる。すなわち、ポンプユニット１６の後端部を押し下げていく。そして、サブタンク１４のロック片１９４のロック爪１９５にマウント３０のロック柱１９０のフランジ部１９２が当接すると、ロック片１９４が外側方へ弾性変形（図３３中、二点鎖線１９４参照）されていき、ロック柱１９０のフランジ部１９２がロック爪１９５を乗り越えると同時に、ロック凹部１７２が弾性復元し、ロック柱１９０のフランジ部１９２にロック爪１９５が係合いわゆるスナップフィット係合される（図３３参照）。これと同時に、サブタンク１４の係合溝１８８に後側のガイドピン１８４が係合する（図３０参照）。これにより、タンク本体１２にポンプユニット１６がロックされる。
【０１１７】
また、ポンプユニット１６を取外したい場合には、ロック片１９４の上端部を外側方へ押すことにより、ロック柱１９０のフランジ部１９２に対するロック爪１９５の係合を解除（図３３中、二点鎖線１９４参照）した後、回動支持手段１８６を回動支点として、ポンプユニット１６を上方へ回動させる。すなわち、ポンプユニット１６の後端部を引き上げる。以降、挿入時とは逆順で、ポンプユニット１６を取外せばよい。
【０１１８】
前記した燃料タンク１０によると、タンク本体１２内にポンプユニット１６を組付ける際に、ガイド手段のガイドレール１５０によって両ガイドピン１１０，１１２がガイドされる。これによって、ポンプユニット１６がタンク本体１２のタンクホール２２側から底部側の組付け位置までガイドされる。したがって、ポンプユニット１６を迷わずに容易に組付け位置へ適正に移動させることができる。このため、作業時間を短縮するとともに、ポンプユニット１６の組付け不良を抑制することができる。よって、タンク本体１２に対するポンプユニット１６の組付け性を向上することができる。
【０１１９】
また、ポンプユニット１６の長手方向の一端部を回動可能に支持する回動支持手段１８６が、タンク本体１２側に設けられた係止片１６２（タンク本体側支持部）と、ポンプユニット１６側に設けられかつ係止片１６２に係合される前側のガイドピン１８２（ポンプユニット側支持部）とにより構成されている。また、ガイドレール１５０には、前側の上流ガイド部１５２及び後側のガイド面１５４が設けられている。したがって、ガイドレール１５０の前側の上流ガイド部１５２及び後側のガイド面１５４により、ポンプユニット１６の前側のガイドピン１８２及びガイド片１６６を上端部側から底部側にガイドすることができる。また、回動支持手段１８６の係止片１６２（タンク本体側支持部）と前側のガイドピン１８２（ポンプユニット側支持部）との係合により、ポンプユニット１６の長手方向の一端部（前端部）を回動可能に支持することができる。よって、回動支持手段１８６を回動支点として、ポンプユニット１６をタンク本体１２の底部側の組付け位置に容易に回動させることができる。
【０１２０】
また、タンク本体１２とポンプユニット１６との間には、回動支持手段１８６を回動支点としてポンプユニット１６をタンク本体１２の底部側の組付け位置に回動したときに、相互に係合するロック手段１９８が設けられている。ロック手段１９８は、タンク本体１２側に設けられたロック片１９４と、ポンプユニット１６側に設けられかつロック片１９４に係合されるロック柱１９０とを備えている。ロック片１９４とロック柱１９０とは、ロック片１９４の弾性変形を利用して係合可能に構成されている。したがって、ポンプユニット１６をタンク本体１２の底部側の組付け位置に回動したときには、ロック手段１９８のロック片１９４にロック柱１９０がロック片１９４の弾性変形を利用して係合することによって、タンク本体１２にポンプユニット１６がロックされる。また、ロック片１９４に対するロック柱１９０の係合をロック片１９４の弾性変形を利用して解除することによって、ポンプユニット１６を挿入時とは逆順で取外すことができる。よって、ポンプユニット１６をタンク本体１２に着脱可能に組付けることができる。なお、ロック柱１９０を弾性変形可能に形成してもよい。
【０１２１】
また、サブタンク１４の底板部２４の段付部１８０によって、ポンプユニット１６のマウント３０の先端部（前端部）の前側のガイドピン１８２を回動支持手段１８６に向けてガイドすることができる。また、前側のガイドピン１８２は、回動支持手段１８６のポンプユニット側支持部を兼用するように構成されている。したがって、ポンプユニット側支持部として、特別な部材を設けなくて済む。
【０１２２】
［実施形態１３］図３４は燃料タンクの要部を示す正面図、図３５は同じく斜視図である。図３４及び図３５に示すように、本実施形態は、例えば、実施形態１１（図２６〜図３０参照）の一方（例えば右側）のガイドレール１５０の上部の外側面に、センダゲージ２００を設けたものである。センダゲージ２００は、燃料残量検出装置で、ガイドレール１５０の上端部に装着されたゲージ本体２０２と、ゲージ本体２０２の回動部２０３に片持ち状に支持されたアーム２０４と、アーム２０４の自由端に取付けられたフロート２０６とにより構成されている。ゲージ本体２０２は、タンク本体１２内の燃料残量に応じて上下するフロート２０６の位置すなわち回動部２０３の回動位置を燃料残量信号として出力する。
【０１２３】
なお、センダゲージ２００のゲージ本体２０２は、ガイドレール１５０の上端部に限らず、ガイドレール１５０においてサブタンク１４から露出した部分の任意の位置に装着してもよい。また、センダゲージ２００のゲージ本体２０２は、ガイドレール１５０に代えて、実施形態７のガイドレール１１４（図２１参照）に装着してもよい。また、センダゲージ２００のゲージ本体２０２は、ガイドレール１５０に代えて、実施形態１のガイドレール５５（図６参照）又は実施形態３のガイドレール８４（図１３参照）又はガイドレール１０４（図２０参照）が設けられたサブタンク１４の左側板部２５の突出部２５ａ又は右側板部２６の突出部２６ａに装着してもよい。
【０１２４】
［他の実施形態］本発明は実施形態に限定されるものではなく、本発明の要旨を逸脱しない範囲における変更が可能である。例えば、本発明は、側面部に開口部を有するタンク本体を備える燃料タンクに適用してもよい。また、ポンプユニットに搭載される部品を増加してもよい。例えば、増加する部品としては、センダゲージ（燃料残量検出装置）の他、サブタンク外の燃料をタンク内へ移送するジェットポンプ、タンク本体内の圧力を検出する圧力センサ等が挙げられる。また、サブタンクは省略してもよい。また、ガイドレールの第３ガイド部及び第２ガイド部は省略してもよい。また、ポンプユニット１６の両ガイド手段のうちの一方のガイド手段は省略してもよい。
【符号の説明】
【０１２５】
１０…燃料タンク
１２…タンク本体
１４…サブタンク
１６…ポンプユニット
２０…上面部
２２…タンクホール（開口部）
２４…底板部（第３ガイド部材）
２７…前側板部（当接部材、タンク本体側支持部の一部）
３０…マウント（ポンプ保持部材、摺動子側の部材）
３２…燃料ポンプ
５１…前側のガイドピン（摺動子、先行側摺動子、ポンプユニット側支持部）
５３…後側のガイドピン（摺動子、後行側摺動子）
５５…ガイドレール
６０…第１ガイド部
６２…第３ガイド部
６２ａ…前端壁（タンク本体側支持部）
６４…第２ガイド部
６５…ロック溝部（ロック部、タンク本体側ロック部）
６７…ロック手段
７２…回動支持手段
７４…サブタンク
７８…ストッパピン（ストッパ部材、ポンプユニット側支持部）
７９…ガイドピン（摺動子）
８０…ストッパ片（係合部材、タンク本体側支持部の一部）
８２…回動支持手段
８４…ガイドレール
８６…第２ガイド部
９４…ロック手段
８８…ロックバー（ポンプユニット側ロック部）
９０…ロック部材（タンク本体側ロック部）
９６…回動支持手段
９８…係止凹部（タンク本体側支持部）
１０２…係止凸部（ポンプユニット側支持部）
１０４…ガイドレール
１１０…前側のガイドピン（摺動子、先行側摺動子、ポンプユニット側支持部）
１１２…後側のガイドピン（摺動子、後行側摺動子、ポンプユニット側ロック部）
１１４…ガイドレール
１２０…前側の上流ガイド部（第１ガイド部）
１２２…前側の下流ガイド部（第３ガイド部）
１２３…係止壁部（タンク本体側支持部）
１２６…後側の上流ガイド部（第１ガイド部）
１２８…後側の下流ガイド部（第２ガイド部）
１３０…ロック部（タンク本体側ロック部）
１３５…ロック手段
１３７…回動支持手段
１４０…サブタンク
１４４…後側のガイド面（第１ガイド部）
１４６…後側のガイドピン（摺動子、後行側摺動子、ポンプユニット側ロック部）
１５０…ガイドレール
１５２…前側の上流ガイド部（第１ガイド部）
１５４…後側のガイド面（第１ガイド部）
１６０…ガイドピン（摺動子、先行側摺動子、ポンプユニット側支持部）
１６２…係止片（タンク本体側支持部）
１６４…回動支持手段
１６６…ガイド片（摺動子、後行側摺動子）
１７２…ロック凹部（ポンプユニット側ロック部）
１７４…ロック片（タンク本体側ロック部）
１７８…ロック手段
１８０…段付部（第３ガイド部材）
１８２…前側のガイドピン（摺動子、先行側摺動子、ポンプユニット側支持部）
１８４…後側のガイドピン（摺動子、後行側摺動子）
１８６…回動支持手段
１９０…ロック柱（ポンプユニット側ロック部）
１９４…ロック片（タンク本体側ロック部）
１９８…ロック手段
【図１】
2017008761.tif 000003
【図２】
2017008761.tif 000004
【図３】
2017008761.tif 000005
【図４】
2017008761.tif 000006
【図５】
2017008761.tif 000007
【図６】
2017008761.tif 000008
【図７】
2017008761.tif 000009
【図８】
2017008761.tif 000010
【図９】
2017008761.tif 000011
【図１０】
2017008761.tif 000012
【図１１】
2017008761.tif 000013
【図１２】
2017008761.tif 000014
【図１３】
2017008761.tif 000015
【図１４】
2017008761.tif 000016
【図１５】
2017008761.tif 000017
【図１６】
2017008761.tif 000018
【図１７】
2017008761.tif 000019
【図１８】
2017008761.tif 000020
【図１９】
2017008761.tif 000021
【図２０】
2017008761.tif 000022
【図２１】
2017008761.tif 000023
【図２２】
2017008761.tif 000024
【図２３】
2017008761.tif 000025
【図２４】
2017008761.tif 000026
【図２５】
2017008761.tif 000027
【図２６】
2017008761.tif 000028
【図２７】
2017008761.tif 000029
【図２８】
2017008761.tif 000030
【図２９】
2017008761.tif 000031
【図３０】
2017008761.tif 000032
【図３１】
2017008761.tif 000033
【図３２】
2017008761.tif 000034
【図３３】
2017008761.tif 000035
【図３４】
2017008761.tif 000036
【図３５】
2017008761.tif 000037